(57)【要約】【課題】  緩速撹拌池などに大きな改造を加えることなく、沈殿したイオン交換樹脂などの沈殿物を回収することができる沈殿物回収装置を提供する。【解決手段】  水平方向の軸線を中心として低速で回転するフロキュレータ３２を有する緩速撹拌池３１から沈殿物を回収する沈殿物回収装置において、前記緩速撹拌池の底部に、前記フロキュレータの外周縁の軌跡に沿う方向の沈殿物受け面３５を有する底板部材３４を設け、該底板部材の一部に、沈殿物を集積する集積溝３６を前記軸線に対して平行に設け、該集積溝内に、集積した沈殿物を集積溝の一端に搬送するスクリューコンベア３７を設けるとともに、前記集積溝の一端に集積した沈殿物を緩速撹拌池の上方に吸い上げる沈殿物吸引管４１を設ける。【選択図】  図２
2016215078.tif 000002
【特許請求の範囲】
【請求項１】
水平方向の軸線を中心として低速で回転するフロキュレータを有する緩速撹拌池から沈殿物を回収する沈殿物回収装置において、前記緩速撹拌池の底部に、前記フロキュレータの外周縁の軌跡に沿う方向の沈殿物受け面を有する底板部材を設け、該底板部材の一部に、沈殿物を集積する集積溝を前記軸線に対して平行に設け、該集積溝内に、集積した沈殿物を集積溝の一端に搬送するスクリューコンベアを設けるとともに、前記集積溝の一端に集積した沈殿物を緩速撹拌池の上方に吸い上げる沈殿物吸引管を設けたことを特徴とする沈殿物回収装置。 
【発明の詳細な説明】
【技術分野】
【０００１】
本発明は、沈殿物回収装置に関し、詳しくは、急速撹拌池と緩速撹拌池とを備えた水処理設備における緩速撹拌池から沈殿物を回収する装置に関する。
【背景技術】
【０００２】
河川水や地下水などの原水に凝集剤を添加して原水に含まれる懸濁物質を凝集させ、凝集した懸濁物質を原水から分離することによって浄水を得る水処理設備が広く普及している。このような水処理設備では、投入された凝集剤と原水とを急速に混合するための急速撹拌機を有する急速撹拌池と、凝集剤が混合した原水を低速撹拌機（フロキュレータ）で緩やかに撹拌して凝集剤による懸濁成分の凝集を促進して大きなフロックを形成するための緩速撹拌池とを備えている（例えば、特許文献１参照。）。一方、近年は、原水中に含まれるカビ臭などの臭気物質やトリハロメタンの生成原因などとなる溶解性有機成分を分離するため、原水に活性炭やイオン交換樹脂を混合し、臭気物質や溶解性有機成分を吸着した活性炭やイオン交換樹脂を固液分離することにより、臭気物質や溶解性有機成分を除去した浄水を得る水処理装置が知られている（例えば、特許文献２参照。）。
【先行技術文献】
【特許文献】
【０００３】
【特許文献１】特開２０１３−１９８８６５号公報
【特許文献２】特開２０１１−２３００３８号公報
【発明の概要】
【発明が解決しようとする課題】
【０００４】
しかし、広く普及している既存の水処理設備にイオン交換樹脂などを用いた水処理を組み込むためには、原水とイオン交換樹脂などとを接触させるとともに、イオン交換樹脂を原水から分離する接触槽を設置する必要があるが、既存の水処理設備では、接触槽を設置するスペースを確保することが困難であり、また、スペースを確保できたとしても、接触槽の構築や接触用の撹拌機などの付帯設備の設置に多大な費用を要するという問題があった。また、既存の水処理設備の急速撹拌池にイオン交換樹脂を投入すると、急速撹拌池内では撹拌機の回転速度を調節することによってイオン交換樹脂を原水中に分散させることが可能であるが、低速で回転するフロキュレータが設けられた後段の緩速撹拌池では、撹拌力が十分に得られないため、イオン交換樹脂などの水より比重が大きな物質が沈殿して底部に蓄積するおそれがあった。
【０００５】
そこで本発明は、緩速撹拌池などに大きな改造を加えることなく、沈殿したイオン交換樹脂などの沈殿物を回収することができる沈殿物回収装置を提供することを目的としている。
【課題を解決するための手段】
【０００６】
上記目的を達成するため、本発明の沈殿物回収装置は、水平方向の軸線を中心として低速で回転するフロキュレータを有する緩速撹拌池から沈殿物を回収する沈殿物回収装置において、前記緩速撹拌池の底部に、前記フロキュレータの外周縁の軌跡に沿う方向の沈殿物受け面を有する底板部材を設け、該底板部材の一部に、沈殿物を集積する集積溝を前記軸線に対して平行に設け、該集積溝内に、集積した沈殿物を集積溝の一端に搬送するスクリューコンベアを設けるとともに、前記集積溝の一端に集積した沈殿物を緩速撹拌池の上方に吸い上げる沈殿物吸引管を設けたことを特徴としている。
【発明の効果】
【０００７】
本発明の沈殿物回収装置によれば、新設の緩速撹拌池だけでなく、既存の緩速撹拌池に簡単な追加改造を行うだけで、緩速撹拌池の底部から沈殿物を回収することができる。
【図面の簡単な説明】
【０００８】
【図１】本発明の沈殿物回収装置の一形態例を示す断面正面図である。
【図２】同じく断面側面図である。
【図３】同じく平面図である。
【図４】一般的な水処理設備の説明図である。
【発明を実施するための形態】
【０００９】
まず、図４は、一般的な水処理設備の構成例を示すもので、原水流入部１１、凝集剤投入部１２及び急速撹拌機１３を有する急速撹拌池１４と、低速撹拌機（フロキュレータ）１５ａ，１６ａ，１７ａをそれぞれ有する３段階の緩速撹拌池１５，１６，１７と、斜板１８ａを設けた浄水流出部１８及び汚泥引抜部１９を有する沈殿池２０とを備えている。
【００１０】
急速撹拌池１４では、原水流入部１１から流入する原水と、凝集剤投入部１２から投入される凝集剤とが急速撹拌機１３による急速撹拌によって混合される。凝集を開始した懸濁成分を含む原水は、急速撹拌池１４から最上流側の第１の緩速撹拌池１５に越流堰１４ａを越えて流入する。第１の緩速撹拌池１５では、低速撹拌機１５ａによる緩やかな撹拌によって懸濁成分の凝集が促進されて大きな粒子のフロックとなり、水中に浮遊した状態になる。
【００１１】
第１の緩速撹拌池１５内のフロックを含む原水は、越流堰１５ｂ，１６ｂを越えて第２の緩速撹拌池１６，第３の緩速撹拌池１７に流入し、各緩速撹拌池１６，１７の各低速撹拌機１６ａ，１７ａによる緩やかな撹拌でフロックの粗大化が図られ、第３の緩速撹拌池１７から越流堰１７ｂを越えて沈殿池２０に流入する。フロックを含む原水は、沈殿池２０で静置されることによってフロックが底部に沈降し、フロックを分離した浄水は、斜板１８ａでフロックをより確実に分離して浄水流出部１８から流出する。また、沈降したフロックを含む汚泥は、汚泥引抜部１９から引き抜かれる。
【００１２】
図１乃至図３は、前述のような水処理設備における緩速撹拌池に設けた沈殿物回収装置の一形態例を示している。緩速撹拌池３１には、水平方向に配置された回転軸３２ａの軸線を中心として低速で回転するフロキュレータ３２が設けられており、前記回転軸３２ａの両端部は、緩速撹拌池３１の両端の壁面３１ａ及び中央部の支持台３１ｂにそれぞれ設けられた軸受部３３によって回転可能に支持されている。
【００１３】
フロキュレータ３２の下方には、緩速撹拌池３１の底面３１ｃの上方を覆うようにして底板部材３４が設けられている。底板部材３４は、金属板や合成樹脂板を所定形状に成形したものであって、前記フロキュレータ３２の外周縁の軌跡に沿う方向の沈殿物受け面３５が形成されるとともに、該沈殿物受け面３５の２箇所に、前記回転軸３２ａと平行な方向の集積溝３６が形成されている。
【００１４】
集積溝３６は、中央の支持台３１ｂの部分で２分割されており、２分割された各集積溝３６内には、集積溝３６内に集積された沈殿物を、緩速撹拌池３１内の流れ方向下流側に搬送するためのスクリューコンベア３７がそれぞれ設けられている。このスクリューコンベア３７は、集積溝３６の両端部に設けられた軸受３７ａによって回転可能に支持されており、上流側の軸受３７ａに隣接して設けられたスプロケット３７ｂを、緩速撹拌池３１の上方に設けられたモータ３８からチェーン３９を介して回転させることにより、所定方向に回転して沈殿物を搬送する。
【００１５】
各スクリューコンベア３７の搬送方向端部及び中間部には、搬送された沈殿物を一時貯留するピット４０がそれぞれ設けられており、各ピット４０内には、ピット４０内の沈殿物を緩速撹拌池３１の上方に吸い上げるための沈殿物吸引管４１の下端がそれぞれ開口している。沈殿物吸引管４１は、周知の吸引ポンプやジェットポンプによってピット４０内の沈殿物を水と共に緩速撹拌池３１の上方に吸引するもので、各沈殿物吸引管４１の上端部は、分岐管４２を介して回収主管４３に接続されており、沈殿物吸引管４１で水と共に吸い上げられた沈殿物は、分岐管４２から回収主管４３に集合して図示しない回収槽などに回収される。
【００１６】
このように、水平方向の軸線を中心として低速で回転するフロキュレータ３２を有する緩速撹拌池３１の底部に、沈殿物受け面３５を有する底板部材３４を設け、該底板部材３４に、スクリューコンベア３７を設けた集積溝３６を形成するとともに、集積溝３６の一端に形成したピット４０から沈殿物を吸引する沈殿物吸引管４１を設けることにより、緩速撹拌池３１の底部に沈降した沈殿物を回収することができる。
【００１７】
特に、既存の水処理設備に設けられている緩速撹拌池においても、集積溝３６を含む所定形状に形成した底板部材３４と、スクリューコンベア３７及び沈殿物吸引管４１とを追加するだけの比較的簡単な工事で対応することができる。これにより、急速撹拌池にイオン交換樹脂を投入し、緩速撹拌池からイオン交換樹脂を回収することが可能となり、既存の水処理設備でイオン交換樹脂を利用して臭気物質や溶解性有機成分を除去する浄水処理を行うことができる。
【００１８】
なお、底板部材３４は、フロキュレータ３２に接触しない範囲で、かつ、沈殿物受け面３５上の沈殿物が集積溝３６に落下する形状に形成すればよく、フロキュレータ３２の外周縁の軌跡に沿った円弧状に形成してもよく、本形態例に示すような接線方向の平板状に形成してもよい。また、前記集積溝３６の位置は、緩速撹拌池３１及びフロキュレータ３２の状態に応じて任意に設定することができるが、フロキュレータ３２の外周縁の軌跡と緩速撹拌池３１の底面３１ｃとの間に、沈殿物搬送用のスクリューコンベア３７を収納可能な大きさの集積溝３６を形成できる位置に設ければよい。
【符号の説明】
【００１９】
１１…原水流入部、１２…凝集剤投入部、１３…急速撹拌機、１４…急速撹拌池、１４ａ…越流堰、１５，１６，１７…緩速撹拌池、１５ａ，１６ａ，１７ａ…低速撹拌機（フロキュレータ）、１５ｂ，１６ｂ，１７ｂ…越流堰、１８…浄水流出部、１８ａ…斜板、１９…汚泥引抜部、２０…沈殿池、３１…緩速撹拌池、３１ａ…壁面、３１ｂ…支持台、３１ｃ…底面、３２…フロキュレータ、３２ａ…回転軸、３３…軸受部、３４…底板部材、３５…沈殿物受け面、３６…集積溝、３７…スクリューコンベア、３７ａ…軸受、３７ｂ…スプロケット、３８…モータ、３９…チェーン、４０…ピット、４１…沈殿物吸引管、４２…分岐管、４３…回収主管 
【図１】
2016215078.tif 000003
【図２】
2016215078.tif 000004
【図３】
2016215078.tif 000005
【図４】
2016215078.tif 000006